(57)【要約】【課題】  腕の負担の少ない振り動作によって鉛芯を繰り出すことができるシャープペンシルを提供する。【解決手段】  軸筒１０に相対し進退部２１が軸筒軸方向へ進退運動されることで鉛芯を繰り出すシャープペンシルにおいて、軸筒軸方向に対する交差方向へ往復運動するように錘体５０を設け、この錘体５０の前記交差方向への往復運動を軸筒軸方向の進退運動に変換して前記進退部２１に伝達する。【選択図】図１
2010167746.tif 000002
【特許請求の範囲】
【請求項１】
軸筒に相対し進退部が軸筒軸方向へ進退運動されることで鉛芯を繰り出すシャープペンシルにおいて、
軸筒軸方向に対する交差方向へ往復運動するように錘体を設け、この錘体の前記交差方向への往復運動を軸筒軸方向の進退運動に変換して前記進退部に伝達するようにしたことを特徴とするシャープペンシル。
【請求項２】
軸筒の後端側に設けられた支持体と、該支持体に支持されて後端部を前記交差方向へ往復運動させる揺動部材とを備え、前記揺動部材の後端部に前記錘体を固定するようにしたシャープペンシルであって、
前記揺動部材には、前記支持体によって回動可能に抱持される球状部が設けられ、前記支持体には、前記球状部の前寄りの部分を受ける前側受部と、同球状部の後寄りの部分を受ける後側受部とが設けられていることを特徴とする請求項１記載のシャープペンシル。
【請求項３】
前記揺動部材の前端側と前記進退部の後端側との内の一方に突起を有する当接部を設けるとともに、その他方には前記突起に対し傾斜した状態で当接可能な傾斜面を有する被当接部を設け、前記突起と前記傾斜面とを摺接させて、前記交差方向への往復運動を軸筒軸方向への進退運動に変換することを特徴とする請求項２記載のシャープペンシル。
【請求項４】
前記当接部の突起は、軸心側に中空部を有する環状に形成され、
前記被当接部は、前記中空部に内在されるように前記傾斜面によって形成された円錐突部と、該円錐突部の周囲に設けられて前記環状の突起の略全周に対し当接する環状平坦部とからなることを特徴とする請求項３記載のシャープペンシル。
【請求項５】
前記支持体は、前記軸筒に対し所定量進退するように係合するとともに、前記進退部によって後方へ押圧されることで該支持体の進退範囲の後端側に位置し、
前記進退部は、前記支持体に対し所定量進退するように係合するとともに、軸筒に支持された付勢部材によって後方へ付勢されることで該進退部の進退範囲の後端側に位置していることを特徴とする請求項２乃至４何れか１項記載のシャープペンシル。
【発明の詳細な説明】
【技術分野】
【０００１】
本発明は、軸筒を振る動作によって鉛芯を繰り出すようにしたシャープペンシルに関するものである。
【背景技術】
【０００２】
従来、この種のシャープペンシルには、例えば特許文献１に記載されたもののように、軸筒（１）内に、軸方向へ進退するように錘体（重量体１１）を具備し、該錘体の軸筒軸方向への進退運動によって鉛芯が繰り出されるようにしたものがある。
【０００３】
ところで、本願発明者の行動観察によれば、前記構造のシャープペンシルを軸筒軸方向へ振って鉛芯を繰り出す場合、使用者は、腕の肘を曲げてその肘から先の部分を大きく振るようにして、軸筒に対し軸方向の強い振幅を与える必要がある。そのため、使用者の腕に対する負担が大きく、例えば使用者が子供や高齢者等のように比較的腕力の弱い者である場合には、鉛芯がスムーズに繰り出されないという問題を生じる場合があった。
【先行技術文献】
【特許文献】
【０００４】
【特許文献１】実開平４−１１１４８７号公報
【発明の概要】
【発明が解決しようとする課題】
【０００５】
本発明は上記従来事情に鑑みてなされたものであり、その課題とする処は、腕の負担の少ない振り動作によって鉛芯を繰り出すことができるシャープペンシルを提供することにある。
【課題を解決するための手段】
【０００６】
上記課題を解決するための技術的手段は、軸筒に相対し進退部が軸筒軸方向へ進退運動されることで鉛芯を繰り出すシャープペンシルにおいて、軸筒軸方向に対する交差方向へ往復運動するように錘体を設け、この錘体の前記交差方向への往復運動を軸筒軸方向の進退運動に変換して前記進退部に伝達するようにしたことを特徴とする。
この構成によれば、錘体が軸筒軸方向に対する交差方向へ往復運動すると、その往復運動が軸筒軸方向の進退運動に変換されて進退部に伝達する。そのため、進退部の進退運動により鉛芯が繰り出されることになる。
【０００７】
更なる技術的手段では、軸筒の後端側に設けられた支持体と、該支持体に支持されて後端部を前記交差方向へ往復運動させる揺動部材とを備え、前記揺動部材の後端部に前記錘体を固定するようにしたシャープペンシルであって、
前記揺動部材には、前記支持体によって回動可能に抱持される球状部が設けられ、前記支持体には、前記球状部の前寄りの部分を受ける前側受部と、同球状部の後寄りの部分を受ける後側受部とが設けられていることを特徴とする。
この構成によれば、揺動部材の後端側が回動する際に、揺動部材の球状部が前側受部と後側受部との間で回転する構造であるため、その回転運動の際にガタツキを生じ難く、ひいては、揺動部材の揺動を引っかかり等なくスムーズに行うことができる。
【０００８】
更なる技術的手段では、前記揺動部材の前端側と前記進退部の後端側との内の一方に突起を有する当接部を設けるとともに、その他方には前記突起に対し傾斜した状態で当接可能な傾斜面を有する被当接部を設け、前記突起と前記傾斜面とを摺接させて、前記交差方向への往復運動を軸筒軸方向への進退運動に変換することを特徴とする。
この構成によれば、当接し合う突起と傾斜面との摺接により、揺動部材後端側の錘体の軸筒交差方向への往復運動を、軸筒軸方向への進退運動に変換して進退部に伝達することができる。
なお、前記傾斜面には、平坦状の傾斜面、及び曲面状の傾斜面を含む。
【０００９】
更なる技術的手段では、前記当接部の突起は、軸心側に中空部を有する環状に形成され、前記被当接部は、前記中空部に内在されるように前記傾斜面によって形成された円錐突部と、該円錐突部の周囲に設けられて前記環状の突起の略全周に対し当接する環状平坦部とからなることを特徴とする。
この構成によれば、軸筒を振らない状態では、当接部の環状の突起の略全周と、被当接部の環状平坦部とが当接して、揺動部材及び錘体が容易に揺れることのない状態に維持される。よって、筆記者は、安定した筆記姿勢を維持して筆記に集中することができる。
また、軸筒を横に振った際には、当接部の環状の突起が、円錐突部の傾斜面に摺接するため、錘体の軸筒交差方向の往復運動が、進退部の軸筒軸方向の進退運動に変換され、鉛芯が繰り出される。この際、突起および傾斜面が環状であるため、軸筒を横に振る際の方向性に拘わらず、鉛芯の繰り出しがスムーズに行われる。
【００１０】
更なる技術的手段では、前記支持体は、前記軸筒に対し所定量進退するように係合するとともに、前記進退部によって後方へ押圧されることで該支持体の進退範囲の後端側に位置し、前記進退部は、前記支持体に対し所定量進退するように係合するとともに、軸筒に支持された付勢部材によって後方へ付勢されることで該進退部の進退範囲の後端側に位置していることを特徴とする。
この構成によれば、錘体が軸筒交差方向へ往復運動すると、その往復運動が軸筒軸方向の進退運動に変換されて進退部に伝達し、進退部が支持体及び軸筒に相対して軸筒軸方向へ進退運動する。そのため、進退部の進退運動により鉛芯が繰り出されることになる。
また、支持体が軸筒に相対し軸方向へ前進した際には、該支持体と共に進退部も前進する。その後、支持体を前進させる力が除去されれば、付勢部材の付勢力によって進退部が軸筒に相対して後退し、該進退部に押圧されて支持体が進退範囲の後端側まで後退する。すなわち、支持体の進退運動により進退部を軸筒軸方向へ進退させて、鉛芯を繰り出すことができる。
よって、錘体の軸筒交差方向への往復運動により鉛芯を繰り出せる上、軸筒を縦に振って錘体及び支持体を進退させる動作や、ノック操作によって錘体及び支持体を進退させる動作によっても、鉛芯を繰り出すことができる。
【発明の効果】
【００１１】
本発明は、以上説明したように構成されているので、以下に記載されるような作用効果を奏する。
軸筒をその軸方向に対する交差方向に振る動作（例えば団扇であおぐような動作）によって鉛芯を繰り出すことができるため、軸筒を振る腕の負担が少ない。ひいては、例えば子供や高齢者等、比較的腕力の小さな者であっても、負担の少ない動作で簡単に鉛芯を繰り出すことができる。
【図面の簡単な説明】
【００１２】
【図１】本発明に係るシャープペンシルの一例を示す縦断面図である。
【図２】同シャープペンシルの動作を説明する要部縦断面図であり、（ａ）は進退部が前進する前の状態を示し、（ｂ）は錘体及び揺動部材の揺動により進退部が前進した状態を示し、（ｃ）は支持体の前方への押動により進退部が前進した状態を示す。
【図３】本発明に係るシャープペンシルの他例を（ａ）〜（ｃ）の各々に示す要部縦断面図である。
【発明を実施するための形態】
【００１３】
以下、本発明の実施の形態を図面に基づいて説明する。
このシャープペンシル１は、軸筒１０と、進退部２１の軸筒軸方向（図１によれば上下方向）への進退運動により軸筒１０前端から鉛芯ｘを繰り出す鉛芯繰出機構２０と、軸筒１０の後端側に進退可能に設けられた支持体３０と、該支持体３０内に揺動可能に支持された揺動部材４０と、該揺動部材４０の後端側に固定された錘体５０とを備え、錘体５０における軸筒軸方向に対する交差方向（以降軸筒交差方向と称する）への往復運動を、軸筒軸方向の進退運動に変換して進退部２１に伝達するようにしている。
なお、本実施の形態において前とは、鉛芯ｘが繰り出される方向（図１によれば下方）を意味し、後とは前記前に対する逆方向を意味する。
【００１４】
軸筒１０は、略筒状の長尺体であり、図示例によれば前軸１１と該前軸１１の後端側に接続された後軸１２とから構成される。この軸筒１０の前端側には、前方へ向かって先細筒状の先口１３が接続されている。
この軸筒１０の他例としては、前軸１１及び後軸１２を一体化した単一の部材からなる態様や、更に前記先口１３を一体化した態様等とすることが可能である。
【００１５】
前軸１１は、その外面を把持部１１ａとするとともに、その内面に後述する付勢部材の前端部を受ける受け突部１１ｂを有する。
また、後軸１２は、その内部に、後述する支持体３０の前端側の係合部３１ｂ１を係止するための係合突部１１ｃを有する。
受け突部１１ｂと係合突部１１ｃの各々は、例えば、軸筒求心方向へ突出するとともに周方向へ連続する一体環状に形成すればよいが、他例としては、軸筒周方向にわたって複数設けられる突起とすることも可能である。
【００１６】
また、鉛芯繰出機構２０は、進退部２１及び該進退部２１と一体的な芯タンク２２の進退運動により鉛芯ｘを繰り出すようにした周知のシャープペンシル用鉛芯繰出機構である。
より詳細に説明すれば、この鉛芯繰出機構２０は、後方からの押圧力により進退部２１及び芯タンク２２が付勢部材２３の付勢力に抗して前進すると、チャック２４が鉛芯ｘを挟持した状態で前進する。前進したチャック２４は、その周囲のクラッチリング２５から外れることで、弾性的に拡径し、挟持していた鉛芯ｘを解放する。
次に、前記後方からの押圧力が解除されると、進退部２１及び芯タンク２２は付勢部材２３の付勢力により後退し、その後退に伴ってチャック２４も後退する。そのため、チャック２４は、クラッチリング２５に嵌まり合うことで弾性的に縮径し、鉛芯ｘを再度挟持することになる。
よって、進退部２１及び芯タンク２２の進退運動の繰り返しにより、チャック２４の前端から鉛芯ｘが繰り出され、更に、この鉛芯ｘは先口１３から前方へ繰り出されることになる。
【００１７】
付勢部材２３は、図示例によればコイルスプリングであり、その前端座部が前軸１１内の受け突部１１ｂに受けられた状態で、その後端座部によって芯タンク２２を後方へ付勢している。芯タンク２２には、その外周に、付勢部材２３の後端座部を受けるための突起２２ａが設けられている。
【００１８】
進退部２１は、筒部２１ａと、該筒部２１ａの後端開口を閉鎖するように設けられた被当接部２１ｂとを具備し、付勢部材２３によって後方へ付勢されることで、前記被当接部２１ｂを揺動部材４０前端の当接部４２に当接する。
【００１９】
筒部２１ａは、その内周面を芯タンク２２の後端外周面に嵌合している。そして、この筒部２１ａの外周面には、スライド規制部３１ｂ２に対し、前後方向へ所定量スライドするように係合するスライド係合部２１ａ１が設けられる。
【００２０】
スライド係合部２１ａ１は、筒部２１ａの外周面から鉛芯方向へ突出して、スライド規制部３１ｂ２内に遊嵌される突起である。
スライド係合部２１ａ１及びスライド規制部３１ｂ２の数は、図示例によればそれぞれ二つとしているが、他例として、単数や三以上とすることも可能である。
また、他例としては、スライド係合部２１ａ１とスライド規制部３１ｂ２との凹凸関係を逆にしてもよい。
【００２１】
被当接部２１ｂは、後述する揺動部材４０における環状の当接部４２に内在される円錐突部２１ｂ１と、該円錐突部２１ｂ１の周囲に設けられた環状平坦部２１ｂ２とから構成される。
【００２２】
円錐突部２１ｂ１は略円錐状に形成される。この円錐突部２１ｂ１は、揺動部材４０が軸筒交差方向へ揺動した際に、その揺動した揺動部材４０の当接部４２を、環状に連続する傾斜面によって受ける。
環状平坦部２１ｂ２は、軸筒軸方向に対し略直交する環状の平坦面であり、揺動前の揺動部材４０における当接部４２に対し、略全周にわたって略直角に当接する。
【００２３】
なお、鉛芯繰出機構２０は、少なくとも進退部２１の進退運動によって鉛芯ｘを繰り出す構造であればよく、前述した以外の構成とすることも可能である。
【００２４】
また、支持体３０は、図示した好ましい一例によれば、軸筒１０の後端側部分に対し進退可能に係合する係合部材３１と、該係合部材３１の後端側部分と協働して揺動部材４０を揺動可能に抱持する抱持部材３２とから構成される。
【００２５】
係合部材３１は、軸筒１０に対し所定量進退するように係合している。
より具体的に説明すれば、この係合部材３１は、軸筒１０の後端側に挿入されて軸筒１０に相対し前後方向へスライド可能なスライド筒部３１ａと、該スライド筒部３１ａの前端から略二股状に分かれて前方へ突出する二つの係止片部３１ｂ，３１ｂと、前記スライド筒部３１ａの後端側から後方へ延設されて揺動部材４０を前方側から受ける受筒部３１ｃとから構成され、例えば、弾性的に撓むことが可能な合成樹脂材料等から形成される。
【００２６】
スライド筒部３１ａは、その外周面を後軸１２の後端側内周面にならう円筒状に形成するとともに、その内周面を後述する進退部２１の外周面にならう円筒状に形成している。したがって、このスライド筒部３１ａは、軸筒１０に対し前後方向へスライドするように係合し、且つ、内在する進退部２１を前後方向へスライドするように係合する。
【００２７】
二つの係止片部３１ｂ，３１ｂの各々は、弾性的に軸筒求心方向へ撓むことが可能な片状に形成され、その最先端部に軸筒１０内の係合突部１１ｃに係止可能な係合部３１ｂ１を有するとともに、該係合部３１ｂ１よりも後方側に、鉛芯繰進退部２１を所定量スライドさせるためのスライド規制部３１ｂ２を有する。
【００２８】
係合部３１ｂ１は、係止片部３１ｂの前端部分を軸筒鉛芯方向へ突出させた突起であり、後軸１２内周面の係合突部１１ｃに対し、その前方側から当接して、係合部材３１が軸筒１０後方へ抜けないように保持している。
したがって、組み立て作業の際、係止片部３１ｂは、軸筒求心方向へ弾性的に撓まされた状態で、軸筒１０後端部内に挿入され、係合部３１ｂ１が係合突部１１ｃよりも前方側に位置した時点で弾性的に復元される。
【００２９】
スライド規制部３１ｂ２は、例えば軸筒軸方向へわたる略矩形状の長孔であり、後述する進退部２１を嵌合して所定量進退させるように係合する。
このスライド規制部３１ｂ２の他例としては、溝や切欠部等とすることも可能である。
【００３０】
また、受筒部３１ｃは、その外周面に抱持部材３２を嵌合接続するとともに、その内部に揺動部材４０前端側を挿入した略筒状の部材であり、その後端部に、揺動部材４０における球状部４１の前寄りの部分を受ける前側受部３１ｃ１を形成している。
【００３１】
前側受部３１ｃ１は、受筒部３１ｃの後端側内周面に、軸筒軸方向へ延びる突リブを周方向へ間隔を置いて複数配設している。そして、その各突リブの後端側には、後述する球状部４１の中心よりも前側の外周面に接触する傾斜面が形成されている。前記傾斜面は、球状部４１との摩擦抵抗を小さくする観点より、球状部４１外周面に近接又は点接触する平坦面状（換言すれば縦断面略直線状）の傾斜面とするのが好ましい。
【００３２】
また、抱持部材３２は、その前端側内周面を係合部材３１の後端側に嵌合するとともに、内部に揺動部材４０を挿通させる略筒状に形成され、その後端側内周面に、球状部４１の後寄りの部分を受ける後側受部３２ａを形成している。
【００３３】
後側受部３２ａは、抱持部材３２の後端側内周面に、軸筒軸方向へ延びる突リブを周方向へ間隔を置いて複数配設している。そして、その各突リブの前端側には、後述する球状部４１の中心よりも後側の外周面に接触する傾斜面が形成される。前記傾斜面は、球状部４１との摩擦抵抗を小さくする観点より、球状部４１外周面に点接触する平坦面状（換言すれば縦断面略直線状）の傾斜面とするのが好ましい。
【００３４】
なお、前側受部３１ｃ１又は後側受部３２ａの他例としては、前記各突リブの後端側に球状部４１外周面にならう凹曲面を形成した態様や、受筒部３１ｃ後端側又は抱持部材３２後端側に、軸筒周方向へわたって球状部４１の外周面を受ける環状の凹曲面を形成した態様等とすることも可能である。
【００３５】
また、揺動部材４０は、錘体５０が装着された後端部を、軸筒軸方向に対する交差方向へ往復運動させる部材であり、支持体３０に支持されている。
詳細に説明すれば、この揺動部材４０は、支持体３０によって回動可能に抱持される球状部４１と、該球状部４１から前方へ突出して進退部２１に当接する当接部４２と、球状部４１の後端側で後述する錘体５０を接続する接続部４３とを具備し、例えば硬質合成樹脂材料等によって成形されている。
【００３６】
球状部４１は、前端側の当接部４２及び後端側の接続部４３を除く外面を略球面状に形成した部位であり、その略球面状の外面の前寄り部分を、支持体３０の前側受部３１ｃ１に対し近接又は接触させるとともに、同外面の後寄り部分を、支持体３０の後側受部３２ａに対し近接又は接触させている。
したがって、球状部４１は、前側受部３１ｃ１と後側受部３２ａとの間で所定量自在に回動することになる。この球状部４１の回動量は、後述する当接部４２外面が、支持体３０の係合部材３１内周面に当接することで制限される。
【００３７】
また、当接部４２は、球状部４１から前方へ突出する環状の突起であり、その軸心側の中空部に進退部２１の円錐突部２１ｂ１を内在するようにして、該当接部４２の略全周を、円錐突部２１ｂ１外周の環状平坦部２１ｂ２に当接することで、後方へ付勢された進退部２１の環状平坦部２１ｂ２を略垂直に受けている。
より詳細に説明すれば、当接部４２は、その周壁の先端部が、断面略半円状に形成されており、その半円状部分を、円錐突部２１ｂ１の基端側と、環状平坦部２１ｂ２の内周側との双方に当接させている。
【００３８】
また、接続部４３は、球状部４１後端側に設けられて、後述する錘体５０の前端側を嵌合接続する凹部である。なお、他例としては、この接続部４３を凸部とするとともに、錘体５０の前端側を凹部としてもよい。
【００３９】
錘体５０は、合成樹脂材料からなるケース部５１と、該ケース部５１内に収納された錘部５２とから構成される。
ケース部５１は、図示例によれば、揺動部材４０後端に嵌合可能な凸部を有する半球中空状の前部５１ａと、該前部５１ａの後端側に接続された後部５１ｂとからなる中空球状に形成される。
錘部５２は、例えば鉛や真鍮等、比較的比重の大きな金属材料から略球状に形成され、ケース部５１に内在されている。
【００４０】
次に上記構成のシャープペンシル１について、その特徴的な作用効果を詳細に説明する。
先ず、当該シャープペンシル１に何も外力が加えられていない状態では、進退部２１に対し付勢部材２３による後方への付勢力が作用しているため、図２（ａ）に示すように、支持体３０，揺動部材４０，及び錘体５０が、進退部２１によって後方へ押圧される。
この押圧状態においては、揺動部材４０における環状の当接部４２の略全周が、進退部２１の円錐突部２１ｂ１を内在するようにして、環状平坦部２１ｂ２の内周側の部分に対し、略垂直に当接する。よって、揺動部材４０は、軸筒軸方向に略沿った略直線状に維持される。なお、この当接状態をより詳細に説明すれば、当接部４２は、その周壁の前端側における略半円状の部分を、円錐突部２１ｂ１と環状平坦部２１ｂ２との双方に当接させる。
よって、例えば、軸筒１０が把持されて筆記が行われている際には、その筆記動作による若干の振動が発生したとしても、その筆記時の振動により錘体５０及び揺動部材４０が揺動することなく、安定した筆記姿勢を得ることができる。
【００４１】
また、シャープペンシル１が例えば団扇を扇ぐようにして軸筒交差方向へ積極的に振られた場合には、揺動部材４０及び錘体５０が慣性力によって軸筒１０に相対し揺動し、その揺動中、図２（ｂ）に示すように、揺動部材４０及び錘体５０が傾いた際に、当接部４２が、軸筒交差方向へ回動しながら、進退部２１の円錐突部２１ｂ１の傾斜面に摺接し、進退部２１を軸筒軸方向へ前進させる。
また、揺動部材４０及び錘体５０の揺動中、これら揺動部材４０及び錘体５０が軸筒軸方向に沿うように位置した際には、前進した進退部２１が、付勢部材２３の付勢力によって後退して元の位置（図２（ａ）に示す状態）に戻される。
よって、進退部２１が進退運動して、鉛芯繰出機構２０の前端側から鉛芯ｘが繰り出されることになる。
【００４２】
また、シャープペンシル１の後端部に押圧力が加わった場合には、図２（ｃ）に示すように、軸筒１０に相対して、支持体３０と揺動部材４０と錘体５０とが一体的に前進し、これに伴って、揺動部材４０に当接されている進退部２１も前進する。そして、その後、シャープペンシル１後端部に対する前記押圧力が解除された場合には、支持体３０と揺動部材４０と錘体５０とが一体的に後退し、これに伴って、揺動部材４０に当接されている進退部２１も後退する。
よって、シャープペンシル１後端部（具体的には支持体３０と揺動部材４０と錘体５０）を進退させるノック操作、あるいはシャープペンシル１を軸方向に振って前記後端部を振動させる操作により、進退部２１等を進退させて、鉛芯繰出機構２０の前端側から鉛芯ｘを繰り出すことができる。
【００４３】
次に、他の態様のシャープペンシルについて説明する。なお、以下に示すシャープペンシルについては、上述したシャープペンシル１に対し、一部の構成を変更したものであるため、上記シャープペンシル１と略同様の構成部分については同一の符号を付けることで重複する詳細説明を省略する。
【００４４】
図３に示すシャープペンシル２は、揺動部材４０の上記当接部４２を当接部４５に置換するとともに、進退部２１の上記被当接部２１ｂを被当接部２１ｃに置換した構成とされる。
【００４５】
当接部４５は、その前端面（換言すれば被当接部２１ｃとの当接面）が、環状に連続する傾斜面からなる略円錐凹状に形成される。
また、被当接部２１ｃは、進退部２１の後端部の略中心から後方へ突出する突起であり、その後端部を略半球状に形成している。
【００４６】
このシャープペンシル２によれば、外力が加わっていない状態（図３に示す状態）では、略円錐凹状の当接部４５の中心側に被当接部２１ｃの半球状の後端部が当接することで、揺動部材４０及び錘体５０が軸筒軸方向に沿った状態に維持される。すなわち、この状態では、通常筆記時の若干の振動で揺動部材４０及び錘体５０が振れてしまうようなことを防ぐことができる。
【００４７】
また、シャープペンシル２が例えば団扇を扇ぐようにして軸筒交差方向へ積極的に振られた場合には、揺動する揺動部材４０における当接部４５の傾斜面が被当接部２１ｃに摺接することで、進退部２１が進退運動を繰り返すため、鉛芯繰出機構２０前端側から鉛芯ｘが繰り出されることになる。
また、シャープペンシル２の後端側がノック操作された場合には、シャープペンシル１の場合と略同様に作用して、鉛芯繰出機構２０前端側から鉛芯ｘが繰り出されることになる。
【００４８】
次に、図４に示すシャープペンシル３は、揺動部材４０の上記当接部４２を当接部４６に置換するとともに、進退部２１の上記被当接部２１ｂを被当接部２１ｄに置換した構成とされる。
【００４９】
当接部４６は、揺動部材４０の前端部において軸筒軸心に沿って前方へ突出する突起であり、その前端部を略半球状に形成している。
また、被当接部２１ｄは、進退部２１の後端部を、前記当接部４６に対し遊嵌する凹曲面状に形成してなる。この被当接部２１ｄは、その凹曲面の略中心を軸筒軸心に沿わせるようにして配置される。そして、この被当接部２１ｄの前記凹曲面の曲率は、当接部４６前端部の曲率よりも大きく設定されている。
【００５０】
このシャープペンシル３によれば、外力が加わっていない状態（図４に示す状態）では、略半球状の当接部４６が凹曲面状の被当接部２１ｄに当接することで、揺動部材４０及び錘体５０が軸筒軸方向に沿った状態に維持される。すなわち、この状態では、通常筆記時の若干の振動で揺動部材４０及び錘体５０が振れてしまうようなことを防ぐことができる。
【００５１】
また、シャープペンシル３が例えば団扇を扇ぐようにして軸筒交差方向へ積極的に振られた場合には、揺動する揺動部材４０における半球状の当接部４６が凹曲面状の被当接部２１ｄに摺接することで、進退部２１が進退運動を繰り返すため、鉛芯繰出機構２０前端側から鉛芯ｘが繰り出されることになる。
また、シャープペンシル３の後端側がノック操作された場合にも、シャープペンシル１の場合と略同様に作用して、鉛芯繰出機構２０前端側から鉛芯ｘが繰り出されることになる。
【００５２】
次に、図５に示すシャープペンシル４は、シャープペンシル１における揺動部材４０と進退部２１との凹凸関係を逆にした一例である。
すなわち、このシャープペンシル４は、揺動部材４０の上記当接部４２を当接部４７に置換するとともに、進退部２１の上記被当接部２１ｂを被当接部２１ｅに置換した構成とされる。
【００５３】
当接部４７は、上記シャープペンシル１における被当接部２１ｂと略同様に、後述する環状の被当接部２１ｅに内在される円錐突部４７ａと、該円錐突部４７ａ周囲に設けられた環状平坦部４７ｂとから構成される。
また、被当接部２１ｅは、上記シャープペンシル１における上記当接部４２と略同様の環状の突起である。この被当接部２１ｅは、その周壁部分の突端を断面半円状に形成しており、その半円状部分を円錐突部４７ａの基端側と環状平坦部４７ｂの内周側との双方に接触させている。
【００５４】
このシャープペンシル４によれば、外力が加わっていない状態（図５に示す状態）では、進退部２１における環状の被当接部２１ｅが、円錐突部４７ａを内在するようにして環状平坦部４７ｂに対し略全周にわたって当接することで、揺動部材４０及び錘体５０が軸筒軸方向に沿った略直線状に維持される。すなわち、この状態では、通常筆記時の若干の振動で揺動部材４０及び錘体５０が振れてしまうようなことを防ぐことができる。
【００５５】
また、シャープペンシル４が例えば団扇を扇ぐようにして軸筒交差方向へ積極的に振られた場合には、揺動する揺動部材４０における円錐突部４７ａの傾斜面が進退部２１における環状の被当接部２１ｅに摺接することで、進退部２１が進退運動を繰り返すため、鉛芯繰出機構２０前端側から鉛芯ｘが繰り出されることになる。
また、シャープペンシル４の後端側がノック操作された場合にも、シャープペンシル１の場合と略同様に作用して、鉛芯繰出機構２０前端側から鉛芯ｘが繰り出されることになる。
【符号の説明】
【００５６】
１０：軸筒                      ２０：鉛芯繰出機構
２１：進退部                    ２１ｂ１：円錐突部
２１ｂ２：環状平坦部            ２３：付勢部材
３０：支持体                    ３１ｃ１：前側受部
３２ａ：後側受部                ４０：揺動部材
４１：球状部                    ４２：当接部
５０：錘体
【図１】
2010167746.tif 000003
【図２】
2010167746.tif 000004
【図３】
2010167746.tif 000005